Podtech/llm-jp-corpus-v4-ja_patent huggingface dataset:
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
操作受付が許容される受付期間を発生させる受付期間発生手段と、
前記受付期間の発生に際しては、操作受付が許容される状態になったこと、または操作受付が許容される状態になることを示唆する受付許容音を可聴出力しうる受付許容音出力手段と
を備え、
前記受付期間として、操作手段に対する操作によって操作受付がなされうる第１受付期間、及び前記第１受付期間で操作機会が付与される操作手段と同じ操作手段に対する操作によって操作受付がなされうる第２受付期間が少なくとも用意されており、
前記第１受付期間において操作受付がなされると、前記所定の結果が得られている期待度が異なる複数態様のいずれかによって第１受付後演出が実行され、
前記第２受付期間において操作受付がなされると、前記所定の結果が得られている期待度が異なる複数態様のいずれかによって、前記第１受付後演出とは演出内容が異なる第２受付後演出が実行される遊技機であって、
前記第１受付期間は、
特定ＢＧＭが非抑制態様で可聴出力されているなかで発生されうるものであり、該発生に際しては、前記受付許容音が非抑制態様で可聴出力されるようになっており、
前記第２受付期間は、
非抑制態様で可聴出力されている前記特定ＢＧＭが抑制態様で可聴出力される状態または可聴出力されない状態になってから発生されうるものであり、該発生に際しては、前記受付許容音が非抑制態様で可聴出力されるようになっており、
前記受付許容音として、前記所定の結果が得られている期待度が相対的に低い第１許容音、及び該期待度が相対的に高い第２許容音を含む複数が用意されており
前記第１許容音は、前記第１受付期間及び前記第２受付期間のいずれの発生に際しても可聴出力されうるが、前記第２許容音は、前記第１受付期間及び前記第２受付期間のうち前記第２受付期間の発生に際してのみ可聴出力されうるようになっており、
さらに、
前記第２受付期間では、当該第２受付期間内で遊技者による操作が行われなくても前記第２受付後演出が実行されるが、前記第１受付期間では、当該第１受付期間内で遊技者による操作が行われなかったときに前記第１受付後演出が実行されず、前記第１受付期間と前記第２受付期間とは１つの変動パターン内で順次に発生しうるようになっており、
さらに、
前記第２受付期間が発生するときにはこれに関連してメッセージ表示が表示されるが、前記第１受付期間が発生するときにはこれに関連してメッセージ表示が表示されず、前記第２受付期間が発生するときにこれに関連して表示される前記メッセージ表示は、前記第２受付後演出が実行開始される時点においても非表示の状態にされておらず表示状態を維持しうるようになっており、
さらに、
前記受付期間として第３受付期間がさらに用意されており、該第３受付期間の発生に際しては前記受付許容音自体が可聴出力されない
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
操作受付が許容される受付期間を発生させる受付期間発生手段と、
前記受付期間の発生に際しては、操作受付が許容される状態になったこと、または操作受付が許容される状態になることを示唆する受付許容音を可聴出力しうる受付許容音出力手段と
を備え、
前記受付期間として、操作手段に対する操作によって操作受付がなされうる第１受付期間、及び前記第１受付期間で操作機会が付与される操作手段と同じ操作手段に対する操作によって操作受付がなされうる第２受付期間が少なくとも用意されており、
前記第１受付期間において操作受付がなされると、前記所定の結果が得られている期待度が異なる複数態様のいずれかによって第１受付後演出が実行され、
前記第２受付期間において操作受付がなされると、前記所定の結果が得られている期待度が異なる複数態様のいずれかによって、前記第１受付後演出とは演出内容が異なる第２受付後演出が実行される遊技機であって、
前記第１受付期間は、
特定ＢＧＭが非抑制態様で可聴出力されているなかで発生されうるものであり、該発生に際しては、前記受付許容音が非抑制態様で可聴出力されるようになっており、
前記第２受付期間は、
非抑制態様で可聴出力されている前記特定ＢＧＭが抑制態様で可聴出力される状態または可聴出力されない状態になってから発生されうるものであり、該発生に際しては、前記受付許容音が非抑制態様で可聴出力されるようになっており、
前記受付許容音として、前記所定の結果が得られている期待度が相対的に低い第１許容音、及び該期待度が相対的に高い第２許容音を含む複数が用意されており
前記第１許容音は、前記第１受付期間及び前記第２受付期間のいずれの発生に際しても可聴出力されうるが、前記第２許容音は、前記第１受付期間及び前記第２受付期間のうち前記第２受付期間の発生に際してのみ可聴出力されうるようになっており、
さらに、
前記第２受付期間では、当該第２受付期間内で遊技者による操作が行われなくても前記第２受付後演出が実行されるが、前記第１受付期間では、当該第１受付期間内で遊技者による操作が行われなかったときに前記第１受付後演出が実行されず、前記第１受付期間と前記第２受付期間とは１つの変動パターン内で順次に発生しうるようになっており、
さらに、
前記第２受付期間が発生するときにはこれに関連してメッセージ表示が表示されるが、前記第１受付期間が発生するときにはこれに関連してメッセージ表示が表示されず、前記第２受付期間が発生するときにこれに関連して表示される前記メッセージ表示は、前記第２受付後演出が実行開始される時点においても非表示の状態にされておらず表示状態を維持しうるようになっており、
さらに、
前記受付期間として第３受付期間がさらに用意されており、該第３受付期間の発生に際しては前記受付許容音自体が可聴出力されない
ことを特徴とする遊技機。
【手続補正４】
【補正対象書類名】明細書
【補正対象項目名】０００８
【補正方法】削除
【補正の内容】
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
操作機会が付与される受付期間を発生可能な受付期間発生手段と
を備え、
前記受付期間が発生する場合、操作機会が付与される期間が発生した状況にあること、または操作機会が付与される期間が発生することを示唆する受付許容音が可聴出力されうる遊技機であって、
前記受付期間としては、少なくとも第１受付期間及び第２受付期間が用意されており、
前記第１受付期間は、
特定ＢＧＭが非抑制態様で可聴出力されているなかで発生しうるものであり、当該第１受付期間が発生する場合、前記受付許容音は非抑制態様で可聴出力されうるようになっており、
前記第２受付期間は、
非抑制態様で可聴出力されている前記特定ＢＧＭが抑制態様で可聴出力される状態または可聴出力されない状態になってから発生しうるものであり、当該第２受付期間が発生する場合、前記受付許容音は非抑制態様で可聴出力されうるようになっており、
さらに、
前記第１受付期間が発生する場合、前記受付許容音は、出力状態として維持される時間の長さが異なる第１態様及び第２態様を含む複数態様のいずれかで可聴出力されるようになっており、
前記第２受付期間が発生する場合、前記受付許容音は、出力状態として維持される時間の長さが異なる前記第１態様及び第３態様を含む複数態様のいずれかで可聴出力されるようになっており、
前記第１受付期間が発生するときに前記受付許容音が前記第１態様で可聴出力される場合と前記第２態様で可聴出力される場合とでは、前記判定手段による判定にて所定の結果が得られている期待度が異なっており、
前記第２受付期間が発生するときに前記受付許容音が前記第１態様で可聴出力される場合と前記第３態様で可聴出力される場合とでは、前記判定手段による判定にて所定の結果が得られている期待度が異なっており、
さらに、
前記第１受付期間が発生するときに前記受付許容音が前記第１態様で可聴出力される場合と前記第２受付期間が発生するときに前記受付許容音が前記第１態様で可聴出力される場合とでは、前記判定手段による判定にて所定の結果が得られている期待度が異なっているが、前記第１受付期間が発生するときに前記受付許容音が前記第２態様で可聴出力される場合と前記第２受付期間が発生するときに前記受付許容音が前記第３態様で可聴出力される場合とでは、前記判定手段による判定にて所定の結果が得られている期待度が同じであり、
前記受付許容音としての前記第２態様及び前記第３態様は、出力状態として維持される時間の長さ、及び出力される音の態様がいずれも異なるものであり、
さらに、
操作機会が付与されることに関連したメッセージ表示が表示される前記第２受付期間では、当該第２受付期間内で遊技者による操作が行われなくても該操作があったときと同じ受付後演出が実行され、該受付後演出が実行開始される時点において前記メッセージ表示は非表示の状態にされておらず表示状態を維持しうるようになっており、
さらに、
前記第１受付期間と前記第２受付期間とは、１つの変動パターン内で順次に発生しうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
操作機会が付与される受付期間を発生可能な受付期間発生手段と
を備え、
前記受付期間が発生する場合、操作機会が付与される期間が発生した状況にあること、または操作機会が付与される期間が発生することを示唆する受付許容音が可聴出力されうる遊技機であって、
前記受付期間としては、少なくとも第１受付期間及び第２受付期間が用意されており、
前記第１受付期間は、
特定ＢＧＭが非抑制態様で可聴出力されているなかで発生しうるものであり、当該第１受付期間が発生する場合、前記受付許容音は非抑制態様で可聴出力されうるようになっており、
前記第２受付期間は、
非抑制態様で可聴出力されている前記特定ＢＧＭが抑制態様で可聴出力される状態または可聴出力されない状態になってから発生しうるものであり、当該第２受付期間が発生する場合、前記受付許容音は非抑制態様で可聴出力されうるようになっており、
さらに、
前記第１受付期間が発生する場合、前記受付許容音は、出力状態として維持される時間の長さが異なる第１態様及び第２態様を含む複数態様のいずれかで可聴出力されるようになっており、
前記第２受付期間が発生する場合、前記受付許容音は、出力状態として維持される時間の長さが異なる前記第１態様及び第３態様を含む複数態様のいずれかで可聴出力されるようになっており、
前記第１受付期間が発生するときに前記受付許容音が前記第１態様で可聴出力される場合と前記第２態様で可聴出力される場合とでは、前記判定手段による判定にて所定の結果が得られている期待度が異なっており、
前記第２受付期間が発生するときに前記受付許容音が前記第１態様で可聴出力される場合と前記第３態様で可聴出力される場合とでは、前記判定手段による判定にて所定の結果が得られている期待度が異なっており、
さらに、
前記第１受付期間が発生するときに前記受付許容音が前記第１態様で可聴出力される場合と前記第２受付期間が発生するときに前記受付許容音が前記第１態様で可聴出力される場合とでは、前記判定手段による判定にて所定の結果が得られている期待度が異なっているが、前記第１受付期間が発生するときに前記受付許容音が前記第２態様で可聴出力される場合と前記第２受付期間が発生するときに前記受付許容音が前記第３態様で可聴出力される場合とでは、前記判定手段による判定にて所定の結果が得られている期待度が同じであり、
前記受付許容音としての前記第２態様及び前記第３態様は、出力状態として維持される時間の長さ、及び出力される音の態様がいずれも異なるものであり、
さらに、
操作機会が付与されることに関連したメッセージ表示が表示される前記第２受付期間では、当該第２受付期間内で遊技者による操作が行われなくても該操作があったときと同じ受付後演出が実行され、該受付後演出が実行開始される時点において前記メッセージ表示は非表示の状態にされておらず表示状態を維持しうるようになっており、
さらに、
前記第１受付期間と前記第２受付期間とは、１つの変動パターン内で順次に発生しうる
ことを特徴とする遊技機。
【手続補正４】
【補正対象書類名】明細書
【補正対象項目名】０００８
【補正方法】削除
【補正の内容】
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
ＧＤ２に結合する抗体またはその機能性断片をコードする単離されたポリヌクレオチドであって、該抗体またはその機能性断片は、可変重鎖（ＶＨ）ドメインおよび可変軽鎖（ＶＬ）ドメインを含み、該ＶＨドメインは、ＶＨ  ＣＤＲ１、ＶＨ  ＣＤＲ２およびＶＨ  ＣＤＲ３のアミノ酸配列を有し、該ＶＬドメインは、ＶＬ  ＣＤＲ１、ＶＬ  ＣＤＲ２およびＶＬ  ＣＤＲ３のアミノ酸配列を有し、ここで
（Ａ）
該ＶＨ  ＣＤＲ１アミノ酸配列は、配列番号３４の残基２６〜３３であり；
該ＶＨ  ＣＤＲ２アミノ酸配列は、配列番号３４の残基５１〜５８であり；
該ＶＨ  ＣＤＲ３アミノ酸配列は、配列番号３４の残基９７〜１１０であり；
該ＶＬ  ＣＤＲ１アミノ酸配列は、配列番号３８の残基２７〜３２であり；
該ＶＬ  ＣＤＲ２アミノ酸配列は、配列番号３８の残基５０〜５２であり；かつ
該ＶＬ  ＣＤＲ３アミノ酸配列は、配列番号３８の残基８９〜９７であるか；
または
（Ｂ）
該ＶＨ  ＣＤＲ１アミノ酸配列は、配列番号３６の残基２６〜３３であり；
該ＶＨ  ＣＤＲ２アミノ酸配列は、配列番号３６の残基５１〜５８であり；
該ＶＨ  ＣＤＲ３アミノ酸配列は、配列番号３６の残基９７〜１１０であり；
該ＶＬ  ＣＤＲ１アミノ酸配列は、配列番号３８の残基２７〜３２であり；
該ＶＬ  ＣＤＲ２アミノ酸配列は、配列番号３８の残基５０〜５２であり；かつ
該ＶＬ  ＣＤＲ３アミノ酸配列は、配列番号３８の残基８９〜９７である、
ポリヌクレオチド。
【請求項２】
ＧＤ２に結合する抗体またはその機能性断片をコードする単離されたポリヌクレオチドであって、該抗体またはその機能性断片は、
（Ａ）配列番号３４のアミノ酸配列を有する可変重鎖ＶＨドメインと、配列番号３８のアミノ酸配列を有する可変軽鎖ＶＬドメイン、または
（Ｂ）配列番号３６のアミノ酸配列を有する可変重鎖ＶＨドメインと、配列番号３８のアミノ酸配列を有する可変軽鎖ＶＬドメイン
を含む、ポリヌクレオチド。
【請求項３】
請求項２に記載の単離されたポリヌクレオチドであって、（Ａ）の前記ＶＨドメインのアミノ酸配列が配列番号３３の核酸配列によってコードされ、かつ（Ａ）の前記ＶＬドメインのアミノ酸配列が配列番号３７の核酸配列によってコードされ、そして、（Ｂ）の前記ＶＨドメインのアミノ酸配列が配列番号３５の核酸配列によってコードされ、かつ（Ｂ）の前記ＶＬドメインのアミノ酸配列が配列番号３７の核酸配列によってコードされる、ポリヌクレオチド。
【請求項４】
ＧＤ２に結合する単離された抗体またはその機能性断片であって、該抗体またはその機能性断片は、可変重鎖ＶＨドメインおよび可変軽鎖ＶＬドメインを含み、該ＶＨドメインは、ＶＨ  ＣＤＲ１、ＶＨ  ＣＤＲ２およびＶＨ  ＣＤＲ３のアミノ酸配列を有し、該ＶＬドメインは、ＶＬ  ＣＤＲ１、ＶＬ  ＣＤＲ２およびＶＬ  ＣＤＲ３のアミノ酸配列を有し、ここで
（Ａ）
該ＶＨ  ＣＤＲ１アミノ酸配列は、配列番号３４の残基２６〜３３であり；
該ＶＨ  ＣＤＲ２アミノ酸配列は、配列番号３４の残基５１〜５８であり；
該ＶＨ  ＣＤＲ３アミノ酸配列は、配列番号３４の残基９７〜１１０であり；
該ＶＬ  ＣＤＲ１アミノ酸配列は、配列番号３８の残基２７〜３２であり；
該ＶＬ  ＣＤＲ２アミノ酸配列は、配列番号３８の残基５０〜５２であり；かつ
該ＶＬ  ＣＤＲ３アミノ酸配列は、配列番号３８の残基８９〜９７であるか；
または
（Ｂ）
該ＶＨ  ＣＤＲ１アミノ酸配列は、配列番号３６の残基２６〜３３であり；
該ＶＨ  ＣＤＲ２アミノ酸配列は、配列番号３６の残基５１〜５８であり；
該ＶＨ  ＣＤＲ３アミノ酸配列は、配列番号３６の残基９７〜１１０であり；
該ＶＬ  ＣＤＲ１アミノ酸配列は、配列番号３８の残基２７〜３２であり；
該ＶＬ  ＣＤＲ２アミノ酸配列は、配列番号３８の残基５０〜５２であり；かつ
該ＶＬ  ＣＤＲ３アミノ酸配列は、配列番号３８の残基８９〜９７である、
抗体またはその機能性断片。
【請求項５】
ＧＤ２に結合する単離された抗体またはその機能性断片であって、該抗体またはその機能性断片は、可変重鎖ＶＨドメインと可変軽鎖ＶＬドメインを含み、ここで
（Ａ）該ＶＨドメインが配列番号３４のアミノ酸配列を有し；かつ、該ＶＬドメインが配列番号３８のアミノ酸配列を有するか、または
（Ｂ）該ＶＨドメインが配列番号３６のアミノ酸配列を有し；かつ、該ＶＬドメインが配列番号３８のアミノ酸配列を有する、
抗体またはその機能性断片。
【請求項６】
前記抗体がヒト抗体である、請求項４または５に記載の単離された抗体またはその機能性断片。
【請求項７】
前記抗体の機能性断片が、Ｆａｂ、Ｆａｂ’、Ｆ（ａｂ’）２、ｓｃＦｖ、ダイアボディ、トリアボディ、およびミニボディからなる群より選択される、請求項４または５に記載の単離された抗体またはその機能性断片。
【請求項８】
前記抗体がモノクローナル抗体である、請求項４または５に記載の単離された抗体またはその機能性断片。
【請求項９】
前記抗体がＩｇＧまたはＩｇＭアイソタイプである、請求項４または５に記載の単離された抗体またはその機能性断片。
【請求項１０】
前記ＩｇＧ抗体がＩｇＧ１サブクラスである、請求項９に記載の単離された抗体またはその機能性断片。
【請求項１１】
診断剤、検出可能な薬剤または治療剤とコンジュゲートしまたは組換えによって融合した、請求項４または５に記載の単離された抗体またはその機能性断片を含むコンジュゲート。
【請求項１２】
検出可能な薬剤を含む、請求項１１に記載のコンジュゲート。
【請求項１３】
腫瘍の検出を必要とする対象において腫瘍を検出するための、請求項１２に記載のコンジュゲートを含む組成物。
【請求項１４】
請求項４または５に記載の抗体またはその機能性断片と、薬学的に許容される担体とを含む、医薬組成物。
【請求項１５】
疾患の治療または予防を必要とする対象において疾患を治療または予防するための、請求項１４に記載の医薬組成物。
【請求項１６】
前記疾患ががんまたは腫瘍形成であり、該がんまたは該腫瘍の細胞がＧＤ２を発現する、請求項１５に記載の医薬組成物。
【請求項１７】
前記がんまたは前記腫瘍が、神経芽腫、骨肉腫および肉腫の他のサブセット、メラノーマ、神経膠腫、小細胞肺がん、乳がん、髄芽腫ならびに星細胞腫からなる群から選択される、請求項１６に記載の医薬組成物。
【請求項１８】
前記乳がんが、乳がん幹細胞を含む、請求項１７に記載の医薬組成物。
【請求項１９】
前記医薬組成物と組み合わせて第２の治療剤が同時または順次投与されることを特徴とする、請求項１５に記載の医薬組成物。
【請求項２０】
前記第２の治療剤が化学療法剤または免疫療法剤である、請求項１９に記載の医薬組成物。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
可変表示に対応する特定表示を表示する特定表示手段と、
特定態様に変化する所定表示を表示する所定表示手段と、
前記有利状態に制御されることを示唆する複数種類の示唆演出を実行する示唆演出実行手段と、
前記特定表示の表示態様を変化させる変化演出を実行する変化演出実行手段と、を備え、
前記示唆演出は、前記所定表示が前記特定態様に変化したあとに実行可能であり、
前記特定表示の表示態様は、前記所定表示が表示されることを示唆する特殊態様を含み、
前記特定表示は、前記特殊態様で表示されたあと、前記所定表示の表示に伴って前記特殊態様から他の表示態様に変化し、前記示唆演出の開始後に前記有利状態に制御される期待度が高い特定態様に変化可能であり、
前記変化演出は、前記示唆演出の開始後に実行可能である、
遊技機。
【手続補正２】
【補正対象書類名】明細書
【補正対象項目名】０００６
【補正方法】変更
【補正の内容】
【０００６】
（１）本発明に係る遊技機は、
可変表示（例えば、特図ゲーム、飾り図柄の可変表示など）を実行し、遊技者にとって有利な有利状態（例えば、大当り遊技状態など）に制御可能な遊技機（例えば、特徴部２０ＡＫに係るパチンコ遊技機１など）であって、
可変表示に対応する特定表示（例えば、可変表示対応表示）を表示する特定表示手段（例えば、演出制御基板１２など）と、
特定態様（例えば、残り時間が「０：００」秒になった態様など）に変化する所定表示（例えば、タイマ画像２０ＡＫ００２など）を表示する所定表示手段（例えば、演出制御基板１２など）と、
前記有利状態に制御されることを示唆する複数種類の示唆演出（例えば、第１役物予告、第２役物予告、ボタン予告、カットイン予告など）を実行する示唆演出実行手段（例えば、演出制御基板１２など）と、
前記特定表示の表示態様を変化させる変化演出を実行する変化演出実行手段と、を備え、
前記示唆演出は、前記所定表示が前記特定態様に変化したあとに実行可能であり（例えば、タイマ画像２０ＡＫ００２で表示される残り時間が「０：００」となったあとに予告演出が実行されるなど）、
前記特定表示の表示態様（例えば、表示色など）は、前記所定表示が表示されることを示唆する特殊態様（例えば、タイマ演出の実行を予告する「黒」など）を含み、
前記特定表示は、前記特殊態様で表示されたあと、前記所定表示の表示に伴って前記特殊態様から他の表示態様（例えば、通常色である「白」など）に変化し、前記示唆演出の開始後に前記有利状態に制御される期待度が高い特定態様（例えば、「赤」又は「金」など）に変化可能であり、
前記変化演出は、前記示唆演出の開始後に実行可能である。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技の進行を制御する遊技制御手段と、
前記遊技制御手段からの情報に基づいて演出を制御する演出制御手段と、
音を出力可能な出力手段と、を備え、
前記遊技制御手段は、設定変更操作に応じて、遊技者にとっての有利度が異なる複数段階の設定値を設定可能であり、
前記演出制御手段は、演出調整操作に応じて、演出に関する調整を行うことが可能であり、
前記出力手段は、
前記演出調整操作に応じた操作音を出力可能であるが、前記設定変更操作に応じた操作音を出力せず、
設定値に対応した遊技用データを設定するための設定変更状態が開始されたときに音を出力可能である、遊技機。
【手続補正２】
【補正対象書類名】明細書
【補正対象項目名】０００６
【補正方法】変更
【補正の内容】
【０００６】
（１）  遊技を行うことが可能な遊技機（例えば、パチンコ遊技機１）であって、
遊技の進行を制御する遊技制御手段（例えば、ＣＰＵ１０３）と、
前記遊技制御手段からの情報（例えば、演出制御コマンド）に基づいて演出を制御する演出制御手段（例えば、演出制御用ＣＰＵ１２０）と、
音を出力可能な出力手段（例えば、演出制御用ＣＰＵ１２０、スピーカ８Ｌ，８Ｒ）と、を備え、
前記遊技制御手段は、設定変更操作に応じて、遊技者にとっての有利度が異なる複数段階の設定値（例えば、設定値１〜６）に対応した遊技用データ（例えば、大当りの判定値に関する情報）を設定可能であり、
前記演出制御手段は、演出調整操作（例えば、音量調整操作）に応じて、演出に関する調整（例えば、音量調整）を行うことが可能であり、
前記出力手段は、
前記演出調整操作に応じた操作音を出力可能であるが、前記設定変更操作に応じた操作音を出力せず（例えば、演出制御用ＣＰＵ１２０は、音量調整操作に応じた操作音を出力するが、設定変更操作に応じた操作音を出力しない）、
設定値に対応した遊技用データを設定するための設定変更状態が開始されたときに音を出力可能である。
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
特定態様に変化する所定表示を表示する所定表示手段と、
前記有利状態に制御されることを示唆する複数種類の示唆演出を実行する示唆演出実行手段と、を備え、
前記示唆演出は、前記所定表示が前記特定態様に変化したあとに実行可能であり、
前記所定表示は、前記示唆演出が実行されるまでの期間を報知するタイマ表示であって、複数の表示位置に表示可能であり、
前記所定表示の表示位置が第１位置であるか第２位置であるかに応じて、当該所定表示が前記特定態様に変化したあとに実行される前記示唆演出の種類の数が異なり、
前記タイマ表示が動作開始時に表示する期間は複数種類ある、
遊技機。
【手続補正２】
【補正対象書類名】明細書
【補正対象項目名】０００６
【補正方法】変更
【補正の内容】
【０００６】
（１）本発明に係る遊技機は、
遊技者にとって有利な有利状態（例えば、大当り遊技状態など）に制御可能な遊技機（例えば、特徴部２０ＡＫに係るパチンコ遊技機１など）であって、
特定態様（例えば、残り時間が「０：００」秒になった態様など）に変化する所定表示（例えば、タイマ画像２０ＡＫ００２など）を表示する所定表示手段（例えば、演出制御基板１２など）と、
前記有利状態に制御されることを示唆する複数種類の示唆演出（例えば、第１役物予告、第２役物予告、ボタン予告、カットイン予告など）を実行する示唆演出実行手段（例えば、演出制御基板１２など）と、を備え、
前記示唆演出は、前記所定表示が前記特定態様に変化したあとに実行可能であり（例えば、タイマ画像２０ＡＫ００２で表示される残り時間が「０：００」となったあとに予告演出が実行されるなど）、
前記所定表示は、前記示唆演出が実行されるまでの期間を報知するタイマ表示であって、複数の表示位置に表示可能であり（例えば、タイマ画像２０ＡＫ００２の最終位置としての中央位置、上位置、右位置など）、
前記所定表示の表示位置が第１位置（例えば、上位置又は右位置など）であるか第２位置（例えば、中央位置など）であるかに応じて、当該所定表示が前記特定態様に変化したあとに実行される前記示唆演出の種類の数が異なり（例えば、図８−１７に示すように、タイマ画像２０ＡＫ００２の最終位置に応じて、タイマ演出終了後に実行される予告演出の種類の数が異なるなど）、
前記タイマ表示が動作開始時に表示する期間は複数種類ある。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
設定変更条件の成立に基づいて遊技者にとっての有利度が異なる複数段階のうちのいずれかに設定値を変更可能な設定変更手段と、
設定値に対応して設定される遊技用データと、
遊技用データを記憶する記憶手段と、を備え、
複数段階に割り当てられる設定値は、第１設定値と、当該第１設定値よりも有利度が高い第２設定値と、を少なくとも含み、
前記第１設定値に対応した遊技用データと、前記第２設定値に対応した遊技用データとでは、前記記憶手段に記憶される遊技用データが異なり、
前記設定変更手段は、前記第１設定値および前記第２設定値のうち少なくとも一方の設定値を複数の段階に割り当てることで、異なる段階においても共通の遊技用データとなるように変更することが可能であり、
前記第１設定値は有利度が最も低く、当該第１設定値に対応した遊技用データを前記共通の遊技用データとする、遊技機。
【手続補正２】
【補正対象書類名】明細書
【補正対象項目名】０００６
【補正方法】変更
【補正の内容】
【０００６】
（１）  遊技を行うことが可能な遊技機（例えば、パチンコ遊技機１）であって、
設定変更条件の成立（例えば、設定変更状態に制御されること）に基づいて遊技者にとっての有利度が異なる複数段階のうちのいずれかに設定値（例えば、設定値１〜６のいずれか）を変更可能な設定変更手段（例えば、ＣＰＵ１０３）と、
設定値に対応して設定される遊技用データ（例えば、図１１の遊技用データ、大当りの判定値に関する情報など）と、
遊技用データ（例えば、大当りの判定値に関する情報など）を記憶する記憶手段（例えば、ＲＯＭ１０１）と、を備え、
複数段階に割り当てられる設定値は、第１設定値（例えば、設定値１）と、当該第１設定値よりも有利度が高い第２設定値（例えば、設定値６）と、を少なくとも含み、
前記第１設定値に対応した遊技用データ（例えば、設定値１の大当りの判定値に関する情報）と、前記第２設定値に対応した遊技用データ（例えば、設定値６の大当りの判定値に関する情報）とでは、前記記憶手段に記憶される遊技用データが異なり（例えば、設定値１の遊技用データは「１」が割り当てられ、設定値６の遊技用データは「６」が割り当てられる）、
前記設定変更手段は、前記第１設定値および前記第２設定値のうち少なくとも一方の設定値を複数の段階に割り当てることで、異なる段階においても共通の遊技用データとなるように変更することが可能であり（例えば、設定値１と設定値２との遊技用データに「１」が割り当てられる）、
前記第１設定値は有利度が最も低く、当該第１設定値に対応した遊技用データを前記共通の遊技用データとする。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
水；
ステビオサイド／レバウディオサイドＤ複合体；及び
果実香味料、植物性香味料、またはこれらの混合物を含む香味
を含む、飲料。
【請求項２】
香味が、オレンジ、レモン、ライム、グレープフルーツ、タンジェリン、マンダリンオレンジ、タンジェロ、ザボン、リンゴ、ブドウ、サクランボ、パイナップル、及びこれらの混合物からなる群から選択される果実香味料を含む、請求項１に記載の飲料。
【請求項３】
香味が、コーラ香味料、ティー香味料、及びこれらの混合物からなる群から選択される植物性香味料を含む、請求項１に記載の飲料。
【請求項４】
香味がコーラ香味料を含む、請求項３に記載の飲料。
【請求項５】
カフェインを更に含む、請求項１に記載の飲料。
【請求項６】
水が炭酸化された水である、請求項１に記載の飲料。
【請求項７】
前記ステビオサイド及び前記レバウディオサイドＤは、１：１〜１２：１の重量比で存在する、請求項１に記載の飲料。
【請求項８】
前記ステビオサイド及び前記レバウディオサイドＤは、２：１〜７：１の重量比で存在する、請求項１に記載の飲料。
【請求項９】
レバウディオサイドＤが、５ｐｐｍ〜約２５０ｐｐｍの範囲の濃度で飲料中に存在する、請求項１に記載の飲料。
【請求項１０】
レバウディオサイドＤが、３０ｐｐｍ〜２００ｐｐｍの範囲の濃度で飲料中に存在する、請求項１に記載の飲料。
【請求項１１】
レバウディオサイドＤ又はステビオサイド以外のステビオール配糖体を更に含む、請求項１に記載の飲料。
【請求項１２】
レバウディオサイドＤ又はステビオサイド以外の前記ステビオール配糖体は、レバウディオサイドＡ、レバウディオサイドＢ、レバウディオサイドＣ、レバウディオサイドＥ、レバウディオサイドＦ、レバウディオサイドＧ、レバウディオサイドＨ、レバウディオサイドＩ、レバウディオサイドＪ、レバウディオサイドＫ、レバウディオサイドＬ、レバウディオサイドＭ、レバウディオサイドＯ、ステビオールビオシド、ルブソシド、及びズルコシドＡからなる群から選択される、請求項１１に記載の飲料。
【請求項１３】
水；
ステビオサイド／レバウディオサイドＤ複合体；及び
果実香味料、植物性香味料、またはこれらの混合物を含む香味
を含む、シロップ。
【請求項１４】
香味が、オレンジ、レモン、ライム、グレープフルーツ、タンジェリン、マンダリンオレンジ、タンジェロ、ザボン、リンゴ、ブドウ、サクランボ、パイナップル、及びこれらの混合物からなる群から選択される果実香味料を含む、請求項１３に記載のシロップ。
【請求項１５】
香味が、コーラ香味料、ティー香味料、及びこれらの混合物からなる群から選択される植物性香味料を含む、請求項１３に記載のシロップ。
【請求項１６】
香味がコーラ香味料を含む、請求項１５に記載のシロップ。
【請求項１７】
カフェインを更に含む、請求項１３に記載のシロップ。
【請求項１８】
前記ステビオサイド及び前記レバウディオサイドＤは、１：１〜１２：１の重量比で存在する、請求項１３に記載のシロップ。
【請求項１９】
前記ステビオサイド及び前記レバウディオサイドＤは、２：１〜７：１の重量比で存在する、請求項１８に記載のシロップ。
【請求項２０】
レバウディオサイドＤ又はステビオサイド以外のステビオール配糖体を更に含む、請求項１３に記載のシロップ。
【請求項２１】
レバウディオサイドＤ又はステビオサイド以外の前記ステビオール配糖体は、レバウディオサイドＡ、レバウディオサイドＢ、レバウディオサイドＣ、レバウディオサイドＥ、レバウディオサイドＦ、レバウディオサイドＧ、レバウディオサイドＨ、レバウディオサイドＩ、レバウディオサイドＪ、レバウディオサイドＫ、レバウディオサイドＬ、レバウディオサイドＭ、レバウディオサイドＯ、ステビオールビオシド、ルブソシド、及びズルコシドＡからなる群から選択される、請求項２０に記載のシロップ。
【請求項２２】
レバウディオサイドＤが、１５０ｐｐｍ〜約１０００ｐｐｍの範囲の濃度でシロップ中に存在する、請求項１３に記載のシロップ。
【請求項２３】
レバウディオサイドＤが、１８０ｐｐｍ〜約４５０ｐｐｍの範囲の濃度でシロップ中に存在する、請求項２２に記載のシロップ。
【請求項２４】
炭酸化された水；
ステビオサイド／レバウディオサイドＤ複合体；
コーラ香味；及び
カフェイン
を含む、飲料。
【請求項２５】
飲料が冷凍炭酸飲料である、請求項２４に記載の飲料。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示の実行中に特定演出を実行可能な特定演出実行手段と、
未だ開始されていない可変表示に対応する保留表示または、実行中の可変表示に対応する特定表示のいずれかの表示態様を変化可能な表示態様変化手段と、
可変表示の実行に基づいて移行可能な所定期間であることを報知可能な報知手段と、を備え、
前記特定演出実行手段は、
前記報知手段によって前記所定期間であると報知されている可変表示に基づいて前記有利状態に制御される場合に、該可変表示の実行中に前記特定演出を実行し、
前記報知手段によって前記所定期間であると報知されている可変表示に基づいて前記有利状態に制御されない場合に、該可変表示の実行中に前記特定演出を実行せず、
前記表示態様変化手段は、
前記所定期間における可変表示を対象とする変化を実行する場合に、該可変表示に対応する特定表示を、該可変表示に対応する保留表示よりも高い割合で変化可能であり、
前記特定表示を前記有利状態に制御される期待度が異なる複数の表示態様により表示可能であり、前記所定期間における可変表示に対応する特定表示を、前記複数の表示態様のうち特定態様に変化させる場合に、前記特定演出が実行されてから該特定態様に変化可能である、
ことを特徴とする遊技機。
【手続補正２】
【補正対象書類名】明細書
【補正対象項目名】０００６
【補正方法】変更
【補正の内容】
【０００６】
手段Ａの遊技機は、可変表示を行い、遊技者にとって有利な有利状態に制御可能な遊技機であって、
可変表示の実行中に特定演出を実行可能な特定演出実行手段と、
未だ開始されていない可変表示に対応する保留表示または、実行中の可変表示に対応する特定表示のいずれかの表示態様を変化可能な表示態様変化手段と、
可変表示の実行に基づいて移行可能な所定期間であることを報知可能な報知手段と、を備え、
前記特定演出実行手段は、
前記報知手段によって前記所定期間であると報知されている可変表示に基づいて前記有利状態に制御される場合に、該可変表示の実行中に前記特定演出を実行し、
前記報知手段によって前記所定期間であると報知されている可変表示に基づいて前記有利状態に制御されない場合に、該可変表示の実行中に前記特定演出を実行せず、
前記表示態様変化手段は、
前記所定期間における可変表示を対象とする変化を実行する場合に、該可変表示に対応する特定表示を、該可変表示に対応する保留表示よりも高い割合で変化可能であり、
前記特定表示を前記有利状態に制御される期待度が異なる複数の表示態様により表示可能であり、前記所定期間における可変表示に対応する特定表示を、前記複数の表示態様のうち特定態様に変化させる場合に、前記特定演出が実行されてから該特定態様に変化可能である、
ことを特徴とする。
さらに、手段１の遊技機は、可変表示を行い、遊技者にとって有利な有利状態（例えば大当り遊技状態など）に制御可能な遊技機（例えばパチンコ遊技機１など）であって、可変表示の実行中に特定演出（例えばリーチ演出など）を実行可能な特定演出実行手段（例えばステップ２８ＡＫＳ１４８を実行する演出制御用ＣＰＵ１２０など）と、未だ開始されていない可変表示に対応する保留表示または、実行中の可変表示に対応する特定表示のいずれかの表示態様を変化可能な表示態様変化手段（例えばステップ２８ＡＫＳ１４３、２８ＡＫＳ１４５を実行する演出制御用ＣＰＵ１２０など）と、可変表示の実行に基づいて移行可能な所定期間であることを報知可能な報知手段（例えば演出画像２８ＡＫＲ１、２８ＡＫＮ１、２８ＡＫＮ２を表示する画像表示装置５やステップ２８ＡＫＳ１２１を実行する演出制御用ＣＰＵ１２０など）とを備え、前記特定演出実行手段は、前記報知手段によって前記所定期間であると報知されている可変表示に基づいて前記有利状態に制御される場合に、該可変表示の実行中に前記特定演出を実行し（例えばメイン側カウント値が特定カウント値である場合に、変動パターン決定テーブル２８ＡＫＴ１１を用いて変動パターンを決定するステップ２８ＡＫＳ０８、２８ＡＫＳ１４８など）、前記報知手段によって前記所定期間であると報知されている可変表示に基づいて前記有利状態に制御されない場合に、該可変表示の実行中に前記特定演出を実行せず（例えばメイン側カウント値が特定カウント値である場合に、変動パターン決定テーブル２８ＡＫＴ０３、２８ＡＫＴ０４のいずれかを用いて変動パターンを決定するステップ２８ＡＫＳ０８など）、前記表示態様変化手段は、前記所定期間における可変表示を対象とする変化を実行する場合に、該可変表示に対応する特定表示を、該可変表示に対応する保留表示よりも高い割合で変化可能である（例えば図８−８に示す決定割合により保留表示変化演出の有無を決定するステップ２８ＡＫＳ１０６、２８ＡＫＳ１４３、図８−１５に示す決定割合によりアクティブ表示変化演出の有無を決定するステップ２８ＡＫＳ２１０、２８ＡＫＳ１４５など）ことを特徴とする。
このような構成によれば、有利状態に対する遊技者の予測を適切に抑制して、遊技興趣を向上させることができる。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
有利状態に制御するか否かを判定する判定手段と、
前記判定手段の判定結果に基づいて、特定演出を実行可能な特定演出実行手段と、
前記特定演出が実行されることを示唆する示唆演出を実行可能な示唆演出実行手段と、
を備え、
前記示唆演出実行手段は、
前記特定演出が実行されるタイミングを示唆する態様を含む態様によって示唆演出を実行可能であり、
少なくとも第１演出態様と第２演出態様とを含む複数種類の演出態様によって、示唆演出を実行可能であり、
示唆演出として、前記第１演出態様で示唆演出を実行する第１パターンと、前記第１演出態様の示唆演出の実行中に、前記特定演出が実行されるタイミングを変化させることなく、前記第１演出態様の示唆演出を第２演出態様の示唆演出に変化させる第２パターンと、を有し、
前記第１演出態様の示唆演出と、前記第２演出態様の示唆演出とで、表示される表示領域が異なるように、示唆演出を実行する、
ことを特徴とする遊技機。
【手続補正２】
【補正対象書類名】明細書
【補正対象項目名】０００６
【補正方法】変更
【補正の内容】
【０００６】
（Ａ）本発明の一態様による遊技機は、遊技者にとって有利な有利状態に制御可能な遊技機であって、有利状態に制御するか否かを判定する判定手段と、前記判定手段の判定結果に基づいて、特定演出を実行可能な特定演出実行手段と、前記特定演出が実行されることを示唆する示唆演出を実行可能な示唆演出実行手段と、を備え、前記示唆演出実行手段は、前記特定演出が実行されるタイミングを示唆する態様を含む態様によって示唆演出を実行可能であり、少なくとも第１演出態様と第２演出態様とを含む複数種類の演出態様によって、示唆演出を実行可能であり、示唆演出として、前記第１演出態様で示唆演出を実行する第１パターンと、前記第１演出態様の示唆演出の実行中に、前記特定演出が実行されるタイミングを変化させることなく、前記第１演出態様の示唆演出を第２演出態様の示唆演出に変化させる第２パターンと、を有し、前記第１演出態様の示唆演出と、前記第２演出態様の示唆演出とで、表示される表示領域が異なるように、示唆演出を実行する、ことを特徴とする。
（１）また、他の遊技機として、遊技者にとって有利な有利状態（例えば、大当り遊技状態等）に制御可能な遊技機（例えば、パチンコ遊技機１等）であって、有利状態に制御するか否かを判定する判定手段（例えば、遊技制御用マイクロコンピュータ１００のＣＰＵ１０３等）と、前記判定手段の判定結果に基づいて、特定演出（例えば、キャラ群予告演出、カットイン予告演出、可動役物予告演出などの予告演出等）を実行可能な特定演出実行手段（例えば、演出制御用ＣＰＵ１２０等）と、前記特定演出が実行されることを示唆する示唆演出（例えば、タイマー演出等）を実行可能な示唆演出実行手段（例えば、演出制御用ＣＰＵ１２０等）と、を備え、前記示唆演出実行手段は、前記特定演出が実行されるタイミングを示唆する態様を含む態様によって示唆演出を実行可能であり（例えば、タイマー演出によって、予告演出が開始されるまでの時間をタイマー残余時間として表示する等）、少なくとも第１演出態様（例えば、第１キャラクタ６ＳＨＴＣＡ等）と第２演出態様（例えば、第２キャラクタ６ＳＨＴＣＢ等）とを含む複数種類の演出態様によって、示唆演出を実行可能であり、示唆演出として、前記第１演出態様で示唆演出を実行する第１パターン（例えば、確変演出モードにおいて、第１段階から第３段階のいずれかの段階までしか発展せず、タイマーキャラクタ６ＳＨＴＣが第１キャラクタ６ＳＨＴＣＡから第２キャラクタ６ＳＨＴＣＢに変身することなく実行されるタイマー演出等）と、前記第１演出態様の示唆演出の実行中に、前記特定演出が実行されるタイミングを変化させることなく、前記第１演出態様の示唆演出を第２演出態様の示唆演出に変化させる第２パターン（例えば、確変演出モードにおいて、第４段階まで発展し、タイマーキャラクタ６ＳＨＴＣが第１キャラクタ６ＳＨＴＣＡから第２キャラクタ６ＳＨＴＣＢに変身して実行されるタイマー演出等）と、を有することを特徴としてもよい。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示に対応する保留表示を表示可能な保留表示手段と、
可変表示の実行中に特定演出を実行可能な特定演出実行手段と、
可変表示が開始される前に、前記特定演出が実行されることを判定可能な判定手段と、
前記判定手段の判定に基づいて、予告演出を実行可能な予告演出実行手段と、
可変表示の実行に基づいて移行可能な所定期間であることを報知可能な報知手段と、を備え、
前記特定演出実行手段は、
前記報知手段によって前記所定期間であると報知されている可変表示に基づいて前記有利状態に制御される場合に、該可変表示の実行中に前記特定演出を実行し、
前記報知手段によって前記所定期間であると報知されている可変表示に基づいて前記有利状態に制御されない場合に、該可変表示の実行中に前記特定演出を実行せず、
前記予告演出実行手段は、
判定の対象となった可変表示を特定可能な第１予告演出を実行可能であり、
複数の保留表示の表示態様を変化させる変化演出によって、判定の対象となった可変表示を特定不可または特定困難な第２予告演出を実行可能であり、
前記所定期間における可変表示を対象とする予告演出を実行する場合に、前記第１予告演出よりも高い割合で前記第２予告演出を実行可能である、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、可変表示を行い、遊技者にとって有利な有利状態に制御可能な遊技機であって、未だ開始されていない可変表示に対応する保留表示を表示可能な保留表示手段と、可変表示の実行中に特定演出を実行可能な特定演出実行手段と、可変表示が開始される前に、前記特定演出が実行されることを判定可能な判定手段と、前記判定手段の判定に基づいて、予告演出を実行可能な予告演出実行手段と、可変表示の実行に基づいて移行可能な所定期間であることを報知可能な報知手段と、を備え、前記特定演出実行手段は、前記報知手段によって前記所定期間であると報知されている可変表示に基づいて前記有利状態に制御される場合に、該可変表示の実行中に前記特定演出を実行し、前記報知手段によって前記所定期間であると報知されている可変表示に基づいて前記有利状態に制御されない場合に、該可変表示の実行中に前記特定演出を実行せず、前記予告演出実行手段は、判定の対象となった可変表示を特定可能な第１予告演出を実行可能であり、複数の保留表示の表示態様を変化させる変化演出によって、判定の対象となった可変表示を特定不可または特定困難な第２予告演出を実行可能であり、前記所定期間における可変表示を対象とする予告演出を実行する場合に、前記第１予告演出よりも高い割合で前記第２予告演出を実行可能である、ことを特徴とする。
（１）また、他の遊技機として、可変表示を行い、遊技者にとって有利な有利状態（例えば大当り遊技状態など）に制御可能な遊技機（例えばパチンコ遊技機１など）であって、可変表示の実行中に特定演出（例えばリーチ演出など）を実行可能な特定演出実行手段（例えばステップ２８ＡＫＳ１４８を実行する演出制御用ＣＰＵ１２０など）と、可変表示が開始される前に、前記特定演出が実行されるか否かを判定する判定手段（例えばステップＳ１０１の始動入賞判定処理を実行する遊技制御用マイクロコンピュータ１００のＣＰＵ１０３など）と、前記判定手段の判定に基づいて、予告演出を実行可能な予告演出実行手段（例えばステップ２８ＡＫＳ１４３、２８ＡＫＳ１４５を実行する演出制御用ＣＰＵ１２０など）と、可変表示の実行に基づいて移行可能な所定期間であることを報知可能な報知手段（例えば演出画像２８ＡＫＲ１、２８ＡＫＮ１、２８ＡＫＮ２を表示する画像表示装置５やステップ２８ＡＫＳ１２１を実行する演出制御用ＣＰＵ１２０など）とを備え、前記特定演出実行手段は、前記報知手段によって前記所定期間であると報知されている可変表示に基づいて前記有利状態に制御される場合に、該可変表示の実行中に前記特定演出を実行し（例えばメイン側カウント値が特定カウント値である場合に、変動パターン決定テーブル２８ＡＫＴ１１を用いて変動パターンを決定するステップ２８ＡＫＳ０８、２８ＡＫＳ１４８など）、前記報知手段によって前記所定期間であると報知されている可変表示に基づいて前記有利状態に制御されない場合に、該可変表示の実行中に前記特定演出を実行せず（例えばメイン側カウント値が特定カウント値である場合に、変動パターン決定テーブル２８ＡＫＴ０３、２８ＡＫＴ０４のいずれかを用いて変動パターンを決定するステップ２８ＡＫＳ０８など）、前記予告演出実行手段は、判定の対象となった可変表示を特定可能な第１予告演出（例えば変化演出種別ＺＨＡに含まれる変化演出パターンによる保留表示変化演出など）を実行可能であり、判定の対象となった可変表示を特定不可または特定困難な第２予告演出（例えば変化演出種別ＺＨＢに含まれる変化演出パターンによる保留表示変化演出など）を実行可能であり、前記所定期間における可変表示を対象とする予告演出を実行する場合に、前記第１予告演出よりも高い割合で前記第２予告演出を実行可能である（例えば変化演出種別決定テーブル２８ＡＫＴ２１を用いて変化演出種別を決定するステップ２８ＡＫＳ２０６、２８ＡＫＳ１４３など）ようにしてもよい。
このような構成によれば、有利状態に対する遊技者の予測を適切に抑制して、遊技興趣を向上させることができる。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
遊技媒体が遊技領域を移動可能で、第１識別情報の可変表示および第２識別情報の可変表示を行うことが可能な遊技機であって、
可変表示の表示結果として特定表示結果が導出表示されたときに、遊技者にとって有利な有利状態に制御可能な有利状態制御手段と、
可変表示の表示結果として前記特定表示結果とは異なる特殊表示結果が導出表示されたときに、前記有利状態とは異なる特殊状態に制御可能な特殊状態制御手段と、
可変表示の表示結果を決定するための判定値を用いて、可変表示の表示結果を決定する表示結果決定手段と、
前記遊技領域内の特定経路に向かう方向に前記遊技媒体の発射を促進させる発射促進報知手段と、
を備え、
前記判定値には、可変表示の表示結果として前記特定表示結果を導出表示することを決定するための特定判定値と、可変表示の表示結果として前記特殊表示結果を導出表示することを決定するための特殊判定値とが含まれ、
前記特定判定値の数が異なる複数の設定値のうちのいずれかの設定値に設定可能な設定手段を備え、
第２識別情報の可変表示に対応する前記判定値のうち前記特殊判定値の数は、設定値によらず共通であり、
第１識別情報の可変表示に対応する前記判定値と第２識別情報の可変表示に対応する前記判定値とで、前記特殊判定値の数が異なり、
前記発射促進報知手段は、第１発射促進報知と、該第１発射促進報知よりも視認性の低い第２発射促進報知と、を実行可能である、
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、遊技媒体が遊技領域を移動可能で、第１識別情報の可変表示および第２識別情報の可変表示を行うことが可能な遊技機であって、可変表示の表示結果として特定表示結果が導出表示されたときに、遊技者にとって有利な有利状態に制御可能な有利状態制御手段と、可変表示の表示結果として特定表示結果とは異なる特殊表示結果が導出表示されたときに、有利状態とは異なる特殊状態に制御可能な特殊状態制御手段と、可変表示の表示結果を決定するための判定値を用いて、可変表示の表示結果を決定する表示結果決定手段と、遊技領域内の特定経路に向かう方向に遊技媒体の発射を促進させる発射促進報知手段と、を備え、判定値には、可変表示の表示結果として特定表示結果を導出表示することを決定するための特定判定値と、可変表示の表示結果として特殊表示結果を導出表示することを決定するための特殊判定値とが含まれ、特定判定値の数が異なる複数の設定値のうちのいずれかの設定値に設定可能な設定手段を備え、第２識別情報の可変表示に対応する判定値のうち特殊判定値の数は、設定値によらず共通であり、第１識別情報の可変表示に対応する判定値と第２識別情報の可変表示に対応する判定値とで、特殊判定値の数が異なり、発射促進報知手段は、第１発射促進報知と、該第１発射促進報知よりも視認性の低い第２発射促進報知と、を実行可能である、ことを特徴とする。
（手段１）また、他の遊技機として、第１識別情報の可変表示および第２識別情報の可変表示を行うことが可能な遊技機であって、可変表示の表示結果として特定表示結果（例えば、大当り図柄）が導出表示されたときに、遊技者にとって有利な有利状態（例えば、大当り遊技状態）に制御可能な有利状態制御手段（例えば、遊技制御用マイクロコンピュータ１００におけるステップＳ１１５Ａ〜Ｓ１１８Ａを実行する部分）と、可変表示の表示結果として特定表示結果とは異なる特殊表示結果（例えば、小当り図柄）が導出表示されたときに、有利状態とは異なる特殊状態（例えば、小当り遊技状態）に制御可能な特殊状態制御手段（例えば、遊技制御用マイクロコンピュータ１００におけるステップＳ１１９Ａ〜Ｓ１２１Ａを実行する部分）と、可変表示の表示結果を決定するための判定値（例えば、大当り判定用の判定値、小当り判定用の判定値）を用いて、可変表示の表示結果を決定する表示結果決定手段（例えば、遊技制御用マイクロコンピュータ１００におけるステップ０２６ＩＷＳ５９Ａ，Ｓ６４Ａ，Ｓ５９Ｂ，Ｓ６４Ｂを実行する部分）とを備え、判定値には、可変表示の表示結果として特定表示結果を導出表示することを決定するための特定判定値（例えば、大当り判定用の判定値）と、可変表示の表示結果として特殊表示結果を導出表示することを決定するための特殊判定値（例えば、小当り判定用の判定値）とが含まれ、特定判定値の数が異なる複数の設定値（例えば、設定値「１」〜「６」）のうちのいずれかの設定値に設定可能な設定手段（例えば、遊技制御用マイクロコンピュータ１００におけるステップＳ２１ＴＭ４５３０〜Ｓ２１ＴＭ４６２０を実行する部分）を備え、第２識別情報の可変表示に対応する判定値のうち特殊判定値の数は、設定値によらず共通であり、第１識別情報の可変表示に対応する判定値と第２識別情報の可変表示に対応する判定値とで、特殊判定値の数が異なる（図９−１および図９−２参照）ことを特徴としてもよい。そのような構成によれば、適切な遊技性を実現しつつ、遊技の単調さを解消することができる。